(57)【要約】
【課題】　仕切作用と整流作用を果たすだけにとどまらず、処理対象水の浄化作用にも直接寄与することができ、処理対象水中に含まれる微粒子ＳＳ成分（懸濁物質）や金属イオンなどの有害物質をも効果的に除去できる、フィルタ機能を備えた整流仕切板を提供すること。
【解決手段】　処理対象水の流れの方向に沿って、上流側から順に、２０〜４０メッシュからなる粗目の第１の樹脂製網１１、ろ過粒径１０〜５０μｍからなる細目の第１の平膜フィルタ１２、１００〜１５０メッシュからなる細目の第２の樹脂製網１３、ろ過粒径５０〜１００μｍからなる粗目の第２の平膜フィルタ１４、２０〜４０メッシュからなる粗目の第３の樹脂製網１５を配置し、これら樹脂製網と平膜フィルタをケース１６内に一体に固定配置する。また、第１及び第２の平膜フィルタ１２，１４の両方またはいずれか一方に、活性炭及び／または吸着剤を含有せしめる。
【選択図】　　　図１
0003099432.tif 000002
【実用新案登録請求の範囲】
【請求項１】
　浄水器用カートリッジの内部を仕切るための整流仕切板であって、処理対象水の流れの方向に沿って、上流側から順に、２０〜４０メッシュからなる粗目の第１の樹脂製網、ろ過粒径１０〜５０μｍからなる細目の第１の平膜フィルタ、１００〜１５０メッシュからなる細目の第２の樹脂製網、ろ過粒径５０〜１００μｍからなる粗目の第２の平膜フィルタ、２０〜４０メッシュからなる粗目の第３の樹脂製網を配置し、これら樹脂製網と平膜フィルタをケース内に一体に固定配置したことを特徴とする浄水器用カートリッジの整流仕切板。
【請求項２】
　請求項１記載の整流仕切板において、前記第１及び第２の平膜フィルタの両方またはいずれか一方に、活性炭及び／または吸着剤を含有せしめたことを特徴とする浄水器用カートリッジの整流仕切板。
【考案の詳細な説明】
【技術分野】
【０００１】
　本考案は、浄水器用カートリッジで用いられる整流仕切板に関するものである。
【背景技術】
【０００２】
　一般家庭、店舗等で広く用いられているカートリッジ交換型の浄水器では、カートリッジ内に活性炭やセラミックス、不織布、その他各種のろ材を充填積層し、この積層配置したろ材の間を水道水や井戸水等の処理対象水が流れていく間に不純物や有害物質を除去し、浄化するようにしている。このようなカートリッジ交換型の浄水器では、カートリッジ内に積層配置したろ材が混ざりあったり、流れ出て行かないようにすると同時に、処理対象水ができるだけろ材全面に均等に拡がりながら流れていくようにするため、カートリッジ内にはろ材充填層を仕切るための整流仕切板と呼ばれる補助部材を設けることが多い。
【考案の開示】
【考案が解決しようとする課題】
【０００３】
　しかしながら、従来の整流仕切板は、ただ単にメッシュ粗さの異なる１枚または複数枚の樹脂製網や金属製網を用いるのが主流であった。従って、従来の整流仕切板の場合、ろ材の混合や流出を防止する仕切り作用と整流作用を発揮するだけにとどまり、処理対象水の浄化作用そのものには直接寄与することはなかった。
【０００４】
　本考案は、仕切作用と整流作用を果たすだけにとどまらず、処理対象水の浄化作用にも直接寄与することができ、処理対象水中に含まれる微粒子ＳＳ成分（懸濁物質）や金属イオン等の有害物質をも効果的に除去することのできる、フィルタ機能を備えた整流仕切板を提供することを目的とするものである。
【課題を解決するための手段】
【０００５】
　上記目的を達成するため、請求項１に係る整流仕切板は、処理対象水の流れの方向に沿って、上流側から順に、２０〜４０メッシュからなる粗目の第１の樹脂製網、ろ過粒径１０〜５０μｍからなる細目の第１の平膜フィルタ、１００〜１５０メッシュからなる細目の第２の樹脂製網、ろ過粒径５０〜１００μｍからなる粗目の第２の平膜フィルタ、２０〜４０メッシュからなる粗目の第３の樹脂製網を配置し、これら樹脂製網と平膜フィルタをケース内に一体に固定配置したものである。なお、メッシュとは１インチ（２．５４ｃｍ）間の目数をいう。
【０００６】
　また、請求項２に係る整流仕切板は、請求項１の整流仕切板において、前記第１及び第２の平膜フィルタの両方またはいずれか一方に、活性炭及び／または吸着剤を含有せしめたことを特徴とするものである。
【考案の効果】
【０００７】
　本考案の整流仕切板によれば、次のような優れた効果を奏することができる。
（１）本考案の整流仕切板をカートリッジ内のろ材層間、カートリッジの流入開口部、流出開口部等に配置することにより、カートリッジ内のろ材の混合や流出を効果的に防ぐことができ、仕切板としての役目を果たすことができる。
（２）流入側・流出側の両端面及び内部に配置した第１〜第３の樹脂製網によって、通過する処理対象水をろ材全面に均等に拡げて流すことができ、整流板としての役目を果たすことができる。
（３）平膜フィルタのろ過粒径によって除去する微粒子ＳＳ成分、病原菌類を自由にコントロールすることができ、通過する処理対象水の浄化も行なうことができる。また、平膜フィルタに吸着剤や活性炭を含有させることにより、浄化機能をさらに向上させることができる。
（４）平膜フィルタは処理対象水の流入側フィルタのミクロン数を小さくし、流出側フィルタのミクロン数を大きくしているので、捕捉した微粒子ＳＳ成分等を逆洗浄によって簡単に剥離・排出することができ、フィルタの目詰まりを簡単に回避することができる。
（５）平膜フィルタに含有させる吸着剤の種類を変えることにより、ヒ素、鉛等の毒性金属類やＣＡＴ、２−ＭＩＢ等の有機物毒性成分も除去することができる。
【考案を実施するための最良の形態】
【０００８】
　図１に、本考案に係る整流仕切り板の第１の実施の形態を示す。
　（ａ）は整流仕切板の略示縦断面図、（ｂ）はその略示平面図であって、この第１の実施の形態に係る整流仕切板１０は、矢印で示す処理対象水の流れの方向（図１（ａ）中の下側から上側）に沿って、上流側（図の下側）から順に、２０〜４０メッシュからなる粗目の第１の樹脂製網１１、ろ過粒径１０〜５０μｍの細目のポリプロピレン不織布からなる第１の平膜フィルタ１２、１００〜１５０メッシュからなる細目の第２の樹脂製網１３、ろ過粒径５０〜１００μｍの粗目のポリプロピレン不織布からなる第２の平膜フィルタ１４、２０〜４０メッシュからなる粗目の第３の樹脂製網１５を配置し、これら３つの樹脂製網１１，１３，１５と２つの平膜フィルタ１２，１４を合成樹脂製のケース１６内に一体に固定配置したものである。なお、１７はカートリッジへの取り付け用穴である。
【０００９】
　この第１の実施の形態に係る整流仕切板１０は、カートリッジ内のろ材層間、カートリッジの流入開口部及び流出開口部等に配置することにより、本来の仕切板として作用させることができ、カートリッジ内のろ材の混合や流出を効果的に防ぐことができる。また、整流仕切板１０の流入側・流出側の両端面及び内部に配置した第１〜第３の樹脂製網１１，１３，１５によって、通過する処理対象水をカートリッジ内のろ材全面に均等に拡げて流すことができ、整流作用を発揮させることができる。
【００１０】
　また、第１及び第２の平膜フィルタ１２，１４のろ過粒径を異ならしめているので、種々の大きさの微粒子ＳＳ成分や病原菌類を捕捉して除去することができ、整流仕切板としての役目だけでなく、浄化作用も発揮させることができる。さらに、流入側の第１の平膜フィルタ１０のろ過粒径を１０〜５０μｍと小さくするとともに、流出側の第２の平膜フィルタ１４のろ過粒径を５０〜１００μｍと大きくしているので、捕捉した微粒子ＳＳ成分等を逆洗浄によって簡単に剥離・排出することができる。このため、フィルタの目詰まりも簡単に回避することができる。
【００１１】
　図２に、本考案の第２の実施の形態を示す。
　この第２の実施の形態にかかる整流仕切板２０は、前記第１の実施の形態に係る整流仕切板１０と同様な構造において、第１及び第２の平膜フィルタ１２、１４のそれぞれに活性炭と吸着剤をコーティング含有せしめ、この２つの平膜フィルタ１２，１４に毒性除去機能も付与したものである。なお、吸着剤としては、ヒ素吸着剤、鉛イオン吸着剤、窒素吸着剤等が用いられる。
【００１２】
　また、この第２の実施の形態の場合、整流仕切板２０の両端面に同心円・格子状の合成樹脂製のグリッド１８を取り付けることにより、樹脂製網１１，１３，１５及び平膜フィルタ１２，１４をケース１６内に一体的に固定している。なお、このグリッド１８の平面穴形状は、円形、四角形、三角形、台形等、設計仕様に応じた任意の形状を採用することができる。
【００１３】
　この第２の実施の形態に係る整流仕切り板２０は、前記第１の実施の形態に係る整流仕切板１１の効果に加え、第１及び第２の平膜フィルタ１２，１４に活性炭と吸着剤を含有せしめているので、吸着剤の種類を変えることにより、微粒子ＳＳ成分等の除去だけにとどまらず、ヒ素、鉛等の毒性金属類や、ＣＡＴ、２−ＭＩＢ等の有機物毒性成分をも除去することができる。また、グリッド１８によってさらに高い整流作用を与えることができる。
【実施例１】
【００１４】
　前記第２の実施の形態に係る整流仕切板（図２）を用いてろ過実験を行ない、濁り除去性能、生菌除去性能、鉛除去性能を測定した。その結果を表１、表２、表３に示す。なお、吸着剤として鉛イオン吸着剤を用いた。
【００１５】
　表１から明らかなように、処理対象水に含まれる微粒子ＳＳ成分を９９．４％除去することができた。また、表２から明らかなように、処理対象水に含まれる菌体(Brevundimonasdiminvea CFO14213)を９９．９％以上除去することができた。さらに、表３から明らかなように、鉛金属イオンを９８％以上除去することができ、平成１５年４月１日より監視項目としての基準値が厳しくなった鉛金属イオンを０．０１ｍｇ／Ｌ以下に確実に抑えることができた。
【００１６】
【表１】
0003099432.tif 000003
【００１７】
【表２】
0003099432.tif 000004
【００１８】
【表３】
0003099432.tif 000005
【図面の簡単な説明】
【００１９】
【図１】本考案に係る整流仕切板の第１の実施の形態を示すもので、（ａ）は略示縦断面図、（ｂ）はその略示平面図である。
【図２】本考案に係る整流仕切板の第２の実施の形態を示すもので、（ａ）は略示縦断面図、（ｂ）はその略示平面図である。
【符号の説明】
【００２０】
　１０，２０　　整流仕切板
　１１　　第１の樹脂製網
　１２　　第１の平膜フィルタ
　１３　　第２の樹脂製網
　１４　　第２の平膜フィルタ
　１５　　第３の樹脂製フィルタ
　１６　　ケース
　１７　　取り付け用穴
　１８　　グリッド
　 
【図１】
0003099432.tif 000006
【図２】
0003099432.tif 000007